(57)【要約】【課題】受信した情報受信端末起動信号を以前受信した情報受信端末起動信号と誤判断することを抑制すること。【解決手段】本発明は、発信電話番号の送信を通知する情報受信端末起動信号を検出する第１の情報受信端末起動信号検出手段と、第１の情報受信端末起動信号検出手段で検出された情報受信端末起動信号に基づく発信電話番号を受信する発信電話番号受信手段と、発信電話番号受信手段で発信電話番号を受信した後に、新たな情報受信端末起動信号を検出する第２の情報受信端末起動信号検出手段と、通信装置を呼び出す呼出信号の検出を行う呼出信号検出手段と、を具備し、発信電話番号受信手段で発信電話番号を受信した後、呼出信号検出手段が呼出信号を検出する前に、新たな情報受信端末起動信号を前記第２の情報受信端末起動信号が受信した場合、発信電話番号受信手段は、新たな情報受信端末起動信号に基づく新たな発信電話番号の受信を行う通信装置である。【選択図】図４
2010098482.tif 000002
【特許請求の範囲】
【請求項１】
発信電話番号の送信を通知する情報受信端末起動信号を検出する第１の情報受信端末起動信号検出手段と、
前記第１の情報受信端末起動信号検出手段で検出された前記情報受信端末起動信号に基づく発信電話番号を受信する発信電話番号受信手段と、
前記発信電話番号受信手段で前記発信電話番号を受信した後に、新たな前記情報受信端末起動信号を検出する第２の情報受信端末起動信号検出手段と、
通信装置を呼び出す呼出信号の検出を行う呼出信号検出手段と、を具備し、
前記発信電話番号受信手段で前記発信電話番号を受信した後、前記呼出信号検出手段が前記呼出信号を検出する前に、前記新たな情報受信端末起動信号を前記第２の情報受信端末起動信号が受信した場合、前記発信電話番号受信手段は、前記新たな情報受信端末起動信号に基づく新たな発信電話番号の受信を行うことを特徴とする通信装置。
【請求項２】
前記第１の情報受信端末起動信号検出手段で前記情報受信端末起動信号を検出した後、予め定められた時間が経過したかを判断する経過時間判断手段を更に具備し、
前記呼出信号検出手段は、前記経過時間判断手段で、前記予め定められた時間が経過したと判断された場合に、前記呼出信号の検出を中止することを特徴とする請求項１記載の通信装置。
【請求項３】
前記通信装置が接続される回線の極性が反転し、その後前記回線の極性が反転前の状態に復帰する復極を検出する復極検出手段を更に具備し、
前記発信電話番号受信手段で前記発信電話番号を受信した後、前記呼出信号検出手段が前記呼出信号を検出する前に、前記復極検出手段が前記復極を検出した場合に、前記呼出信号検出手段は、前記呼出信号の検出を中止することを特徴とする請求項１または２のうちいずれか一項に記載の通信装置。
【請求項４】
コンピュータを、
発信電話番号の送信を通知する情報受信端末起動信号を検出する第１の情報受信端末起動信号検出手段、
前記第１の情報受信端末起動信号検出手段で検出された前記情報受信端末起動信号に基づく発信電話番号を受信する発信電話番号受信手段、
前記発信電話番号受信手段で前記発信電話番号を受信した後に、新たな前記情報受信端末起動信号の検出を行う第２の情報受信端末起動信号検出手段、
通信装置を呼び出す呼出信号の検出を行う呼出信号検出手段、として機能させ、
前記発信電話番号受信手段で前記発信電話番号を受信した後、前記呼出信号検出手段が前記呼出信号を検出する前に、前記新たな情報受信端末起動信号を前記第２の情報受信端末起動信号が受信した場合、前記発信電話番号受信手段は、前記新たな情報受信端末起動信号に基づく新たな発信電話番号の受信を行うことを特徴とする通信制御プログラム。
【請求項５】
発信電話番号の送信を通知する情報受信端末起動信号を検出する第１の情報受信端末起動信号検出手段と、
前記第１の情報受信端末起動信号検出手段で検出された前記情報受信端末起動信号に基づく発信電話番号を受信する発信電話番号受信手段と、
前記発信電話番号受信手段で前記発信電話番号を受信した後に、新たな前記情報受信端末起動信号を検出する第２の情報受信端末起動信号検出手段と、
通信装置を呼び出す呼出信号の検出を行う呼出信号検出手段と、を具備し、
前記発信電話番号受信手段で前記発信電話番号を受信した後、前記呼出信号検出手段が前記呼出信号を検出する前に、前記新たな情報受信端末起動信号を前記第２の情報受信端末起動信号が受信した場合、前記発信電話番号受信手段は、前記新たな情報受信端末起動信号に基づく新たな発信電話番号の受信を行う通信装置をファクシミリ機能として備えたことを特徴とするファクシミリ装置。
【発明の詳細な説明】
【技術分野】
【０００１】
本発明は、通信装置、通信制御プログラム及びファクシミリ装置に関する。
【背景技術】
【０００２】
従来、発信者番号通知サービス（ナンバーディスプレイサービス）及びダイヤルインサービスが提供されている。これらのサービスは、まず、発信側通信装置の電話番号（発信電話番号）などの送信を通知する情報受信端末起動信号（ＣＡＲ信号）が、交換機から受信側の通信装置（例えば、ファクシミリ装置）に送信される。受信側の通信装置は、ＣＡＲ信号を検出すると、交換機に一次応答信号の送信をする。次に、交換機は、受信側の通信装置から一次応答信号を受信した後、発信電話番号などを受信側の通信装置に送信する。その後、交換機は、通信装置を呼び出す呼出信号を受信側の通信装置に送信し、受信側の通信装置は、呼出信号を検出した後、発信側通信装置と通信を行う。
【０００３】
また、ＩＳＤＮ（Integrated Services Digital Network）のサービスも提供されている。ＩＳＤＮは、１本の主回線で２チャンネル使用することができ、２つのチャンネルでの同時通信が可能となる。ＩＳＤＮを利用するには、１本の主回線を２本の回線に分岐するターミナルアダプタを用い、ターミナルアダプタで分岐された２本の回線それぞれに通信装置を接続させる。
【０００４】
発信者番号通知サービス（ナンバーディスプレイサービス）は、受信側の通信装置がナンバーディスプレイに対応している場合に受けることが可能であり、受信側の通信装置がナンバーディスプレイに対応しているかを、ターミナルアダプタで自動検出する技術も提案されている（例えば、特許文献１参照）。
【特許文献１】特開２００２−２２３３１７号公報
【発明の開示】
【発明が解決しようとする課題】
【０００５】
本発明の目的は、受信した情報受信端末起動信号を以前受信した情報受信端末起動信号と誤判断することを抑制する通信装置、通信制御プログラム及びファクシミリ装置を提供することにある。
【課題を解決するための手段】
【０００６】
上記目的を達成するため、請求項１の通信装置は、発信電話番号の送信を通知する情報受信端末起動信号を検出する第１の情報受信端末起動信号検出手段と、前記第１の情報受信端末起動信号検出手段で検出された前記情報受信端末起動信号に基づく発信電話番号を受信する発信電話番号受信手段と、前記発信電話番号受信手段で前記発信電話番号を受信した後に、新たな前記情報受信端末起動信号を検出する第２の情報受信端末起動信号検出手段と、通信装置を呼び出す呼出信号の検出を行う呼出信号検出手段と、を具備し、前記発信電話番号受信手段で前記発信電話番号を受信した後、前記呼出信号検出手段が前記呼出信号を検出する前に、前記新たな情報受信端末起動信号を前記第２の情報受信端末起動信号が受信した場合、前記発信電話番号受信手段は、前記新たな情報受信端末起動信号に基づく新たな発信電話番号の受信を行うことを特徴とする。
【０００７】
請求項２の通信装置は、請求項１に記載の通信装置において、前記第１の情報受信端末起動信号検出手段で前記情報受信端末起動信号を検出した後、予め定められた時間が経過したかを判断する経過時間判断手段を更に具備し、前記呼出信号検出手段は、前記経過時間判断手段で、前記予め定められた時間が経過したと判断された場合に、前記呼出信号の検出を中止することを特徴とする。
【０００８】
請求項３の通信装置は、請求項１または２のうちいずれか一項に記載の通信装置において、前記通信装置が接続される回線の極性が反転し、その後前記回線の極性が反転前の状態に復帰する復極を検出する復極検出手段を更に具備し、前記発信電話番号受信手段で前記発信電話番号を受信した後、前記呼出信号検出手段が前記呼出信号を検出する前に、前記復極検出手段が前記復極を検出した場合に、前記呼出信号検出手段は、前記呼出信号の検出を中止することを特徴とする。
【０００９】
請求項４の通信制御プログラムは、コンピュータを、発信電話番号の送信を通知する情報受信端末起動信号を検出する第１の情報受信端末起動信号検出手段、前記第１の情報受信端末起動信号検出手段で検出された前記情報受信端末起動信号に基づく発信電話番号を受信する発信電話番号受信手段、前記発信電話番号受信手段で前記発信電話番号を受信した後に、新たな前記情報受信端末起動信号の検出を行う第２の情報受信端末起動信号検出手段、通信装置を呼び出す呼出信号の検出を行う呼出信号検出手段、として機能させ、前記発信電話番号受信手段で前記発信電話番号を受信した後、前記呼出信号検出手段が前記呼出信号を検出する前に、前記新たな情報受信端末起動信号を前記第２の情報受信端末起動信号が受信した場合、前記発信電話番号受信手段は、前記新たな情報受信端末起動信号に基づく新たな発信電話番号の受信を行うことを特徴とする。
【００１０】
請求項５のファクシミリ装置は、発信電話番号の送信を通知する情報受信端末起動信号を検出する第１の情報受信端末起動信号検出手段と、前記第１の情報受信端末起動信号検出手段で検出された前記情報受信端末起動信号に基づく発信電話番号を受信する発信電話番号受信手段と、前記発信電話番号受信手段で前記発信電話番号を受信した後に、新たな前記情報受信端末起動信号を検出する第２の情報受信端末起動信号検出手段と、通信装置を呼び出す呼出信号の検出を行う呼出信号検出手段と、を具備し、前記発信電話番号受信手段で前記発信電話番号を受信した後、前記呼出信号検出手段が前記呼出信号を検出する前に、前記新たな情報受信端末起動信号を前記第２の情報受信端末起動信号が受信した場合、前記発信電話番号受信手段は、前記新たな情報受信端末起動信号に基づく新たな発信電話番号の受信を行う通信装置をファクシミリ機能として備えたことを特徴とする。
【発明の効果】
【００１１】
請求項１の発明によれば、受信した情報受信端末起動信号を以前受信した情報受信端末起動信号と誤判断することを抑制することができる。
【００１２】
請求項２の発明によれば、受信した情報受信端末起動信号を、予め定められた時間内に処理すべき情報受信端末起動信号ではないと判断することができる。
【００１３】
請求項３の発明によれば、受信した情報受信端末起動信号は、処理すべき情報受信端末起動信号ではないと判断することができる。
【００１４】
請求項４の発明によれば、受信した情報受信端末起動信号を以前受信した情報受信端末起動信号と誤判断することを抑制することができる。
【００１５】
請求項５の発明によれば、受信した情報受信端末起動信号を以前受信した情報受信端末起動信号と誤判断することを抑制することができる。
【発明を実施するための最良の形態】
【００１６】
以下、本発明の実施例について、図面を参照して説明する。
【実施例１】
【００１７】
図１は、実施例１に係る通信装置１０の構成の一例を示すブロック図である。通信装置１０は、例えばファクシミリ装置又はファックス機能の他に複写機能等を備えた複合装置である。本実施例では、通信装置としてファクシミリ装置を例に挙げるが、例えば、電話機等に適用しても良い。この通信装置１０は、ターミナルアダプタ１２に接続しており、ターミナルアダプタ１２を介し、ＩＳＤＮ１４を利用してファクシミリ情報の送受信を行う。また、ターミナルアダプタ１２には、例えば２台の通信装置１０（第１の通信装置及び第２の通信装置）が接続されており、ターミナルアダプタ１２でグローバル着信が設定されていることで、２台の通信装置１０（第１の通信装置及び第２の通信装置）は、同時に通信を行うことができる。なお、第１の通信装置１０及び第２の通信装置１０は、例えば、同一の構成及び機能を有する。
【００１８】
図１を参照に、通信装置１０は、制御部１６、記憶部１８、通信部２０、画像読取部２２、印刷部２４、操作部２６、及び表示部２８を備えている。制御部１６は、所定の処理を実行するものであり、例えば通信装置１０全体を制御する。記憶部１８は、制御部１６の動作を制御する制御プログラムを記憶するとともに、ファクシミリ情報や発信電話番号などを一時的に記憶したりする。通信部２０は、制御部１６の制御の下、ＩＳＤＮ１４を利用してファクシミリ情報の送受信を行う。画像読取部２２は、制御部１６の制御の下、原稿の画像を読み取って、通信部２０から送信するファクシミリ情報を生成する。印刷部２４は、制御部１６の制御の下、通信部２０で受信したファクシミリ情報を印刷する。操作部２６は、ユーザからの操作を制御部１６に入力する。表示部２８は、ファクシミリ情報、操作情報などを、制御部１６の指示に基づき表示する。制御部１６は、記憶部１８、通信部２０、画像読取部２２、印刷部２４、操作部２６、及び表示部２８に接続されている。
【００１９】
図２は、通信装置１０のハードウエア構成の一例を示すブロック図である。図２を参照に、通信装置１０は、通信装置１０全体を制御するＣＰＵ（Central Processing Unit）３０、制御プログラムを備えるＲＯＭ（Read Only Memory）３２、ＣＰＵの作業領域（ワーキングエリア）として機能するＲＡＭ（Random Access Memory）３４、ＩＳＤＮと接続するための通信インターフェース３６、ボタン又はタッチパネル３８、例えば液晶モニタであるディスプレイ４０、例えばシートスルー方式などにより原稿の画像を光学的に読み取るスキャナ４２、例えば電子写真方式などにより情報を紙などの印刷媒体に印刷するプリンタ４４を備えている。ＣＰＵ３０は、システムバス４６を介して、ＲＯＭ３２、ＲＡＭ３４、通信インターフェース３６、ボタン又はタッチパネル３８、ディスプレイ４０、スキャナ４２、及びプリンタ４４に接続されている。
【００２０】
図１における、制御部１６は、制御プログラムに従って所定の処理を実行するＣＰＵ３０に相当する。記憶部１８は、ＲＯＭ３２及びＲＡＭ３４に相当する。通信部２０は、通信インターフェース３６に相当する。画像読取部２２は、スキャナ４２に相当し、印刷部２４は、プリンタ４４に相当する。操作部２６は、ボタン又はタッチパネル３８に相当し、表示部２８は、ディスプレイ４０に相当する。
【００２１】
図３は、実施例１における制御部１６において、ＣＰＵ３０などのハードウエアとＲＯＭ３２などに記憶されたソフトウエアの協働によって実現される機能を示すブロック図である。
【００２２】
図３を参照に、制御部１６は、第１の情報受信端末起動信号検出部４８（第１の情報受信端末起動信号検出手段）、受信部５０（発信電話番号受信手段）、呼出信号検出部５２（呼出信号検出手段）、第２の情報受信端末起動信号検出部５４（第２の情報受信端末起動信号検出手段）、及び復極検出部５６（復極検出手段）を備えている。
【００２３】
第１の情報受信端末起動信号検出部４８は、通信部２０を介し、交換機（不図示）から送信される情報受信端末起動信号（以下、ＣＡＲ信号と表す）の検出を行う。ＣＡＲ信号とは、発信電話番号の送信に先立って送信される信号である。
【００２４】
受信部５０は、ＣＡＲ信号の後に、交換機から送信される発信電話番号の受信を行う。例えば、第１の情報受信端末起動信号検出部４８でＣＡＲ信号を検出した場合、受信部５０は、第１の情報受信端末起動信号検出部４８で検出したＣＡＲ信号に基づく発信電話番号を受信する。また、例えば、後述する第２の情報受信端末起動信号検出部５４で新たなＣＡＲ信号を検出した場合は、受信部５０は、第２の情報受信端末起動信号検出部５４で検出した新たなＣＡＲ信号に基づく新たな発信電話番号を受信する。
【００２５】
呼出信号検出部５２は、交換機から送信される、通信装置１０を呼び出す呼出信号の検出を行う。この検出は、受信部５０で、第１の情報受信端末起動信号検出部４８で検出されたＣＡＲ信号に基づく発信電話番号を受信した後、後述する第２の情報受信端末起動信号検出部５４で新たなＣＡＲ信号が検出されるまで、又は、後述する復極検出部５６で復極が検出されるまで継続的に実行される。また、第２の情報受信端末起動信号検出部５４で新たなＣＡＲ信号が検出された場合でも、前述したように、受信部５０で、新たなＣＡＲ信号に基づく新たな発信電話番号を受信した場合は、呼出信号検出部５２は、呼出信号の検出を再開する。つまり、呼出信号が検出される前に、ＣＡＲ信号が連続して検出された場合、受信部５０で、最後に検出したＣＡＲ信号に基づく発信電話番号を受信した後は、呼出信号検出部５２は、呼出信号の検出を行う。呼出信号検出部５２で呼出信号が検出されると、通信部２０を介して、発信側の通信装置（不図示）と通信を開始する。
【００２６】
第２の情報受信端末起動信号検出部５４は、呼出信号検出部５２で呼出信号が検出されない場合に、交換機から新たなＣＡＲ信号が送信されたかを判断するため、ＣＡＲ信号の検出を行う。新たなＣＡＲ信号が検出された場合は、前述したように、受信部５０で、新たなＣＡＲ信号に基づく発信電話番号を受信する。
【００２７】
復極検出部５６は、第２の情報受信端末起動信号検出部５４で新たなＣＡＲ信号が検出されない場合に、通信装置１０が接続する回線の極性が反転し、その後、回線の極性が反転前の極性に復帰する復極があったかを検出する。ここで、復極について簡単に説明する。交換機が回線の極性を反転して呼出信号を送出すると、通信装置はこれに応答してループを閉結する。交換機はこれに応答して回線の極性を復極し、これにより通信装置と交換機とは通話状態となる。復極があった場合は、第１の情報受信端末起動信号検出部４８で、ＣＡＲ信号の検出を再び行う。復極がない場合は、呼出信号検出部５２での呼出信号の検出を引き続き行う。
【００２８】
次に、図４に、実施例１に係る通信装置１０で実行される処理のフローチャートを示す。図４を参照に、通信装置１０の制御部１６は、ＩＳＤＮ１４を利用して、交換機（不図示）から送信されるＣＡＲ信号の検出を行う（ステップＳ２）。ＣＡＲ信号は、０．５秒のオフ時間をおいて、０．５秒づつ断続的に発信される１６Ｈｚの信号である。ＣＡＲ信号が検出された場合（Ｙｅｓの場合）、ステップＳ４の処理に進み、ＣＡＲ信号が検出されない場合（Ｎｏの場合）は、ＣＡＲ信号が検出されるまで、ＣＡＲ信号の検出を繰り返す。
【００２９】
ステップＳ２でＣＡＲ信号が検出された場合（Ｙｅｓの場合）、制御部１６は、一次応答信号を交換機に送信する（ステップＳ４）。一次応答は、回線を閉結して交換機との間でループを形成することにより行われる。
【００３０】
次に、制御部１６は、交換機からモデム信号で送信された発信電話番号を受信する（ステップＳ６）。制御部１６は、発信電話番号の受信が完了すると、交換機とのループを切断して、回線を開放する（ステップＳ８）。その後、制御部１６は、交換機から送信される呼出信号の検出を行う（ステップＳ１０）。呼出信号は、２秒のオフ時間をおいて１秒ごとに断続的に発信される１６Ｈｚの信号である。ステップＳ１０で呼出信号が検出された場合（Ｙｅｓの場合）は、ステップＳ１６に進み、呼出信号が検出されない場合（Ｎｏの場合）は、ステップＳ１２に進む。
【００３１】
ステップＳ１０で呼出信号が検出されない場合（Ｎｏの場合）、制御部１６は、交換機から新たなＣＡＲ信号が送信されたかどうかを判断するため、ＣＡＲ信号の検出を行う（ステップＳ１２）。ステップＳ１２で新たなＣＡＲ信号が検出されない場合（Ｎｏの場合）は、ステップＳ１４に進み、復極があったかどうかを検出する（ステップＳ１４）。なお、復極とは、前述したように、回線の極性が反転し、その後、回線の極性が反転前の極性に復帰することをいう。ステップＳ１４で復極が検出された場合（Ｙｅｓの場合）は、発信者が途中でファクシミリ通信を中止した、あるいは他の通信装置から呼出信号に対して応答信号があったなどと判断できるためステップＳ２に戻り、新たなＣＡＲ信号を検出する。このように、復極を検出した場合に、呼出信号の検出を中止し、ステップＳ２のＣＡＲ信号の検出に戻ることで、例えば、発信者が途中でファクシミリ通信を中止した場合などにおいて、受信した発信電話番号ではない通信装置との通信が抑制される。
【００３２】
ステップＳ１４で復極が検出されなかった場合（Ｎｏの場合）は、ステップＳ１０に戻り、呼出信号の検出を引き続き行う。つまり、ステップＳ１２で新たなＣＡＲ信号が検出されるか、又は、ステップＳ１４で復極が検出されるまで、ステップＳ１０での呼出信号の検出は継続して行われる。
【００３３】
ステップＳ１２で新たなＣＡＲ信号が検出された場合（Ｙｅｓの場合）は、ステップＳ４に進み、制御部１６は、新たなＣＡＲ信号に対する一次応答信号を交換機に送信した後（ステップＳ４）、交換機から送信される新たなＣＡＲ信号に基づく発信電話番号を受信する（ステップＳ６）。その後、制御部１６は、回線を開放し（ステップＳ８）、呼出信号の検出を再開する（ステップ１０）。
【００３４】
ステップＳ１０で呼出信号が検出された場合（Ｙｅｓの場合）、制御部１６は、再度、回線を閉結して交換機との間でループを形成することにより、二次応答信号を交換機に送信する（ステップＳ１６）。その後、制御部１６は、発信側の通信装置（不図示）と、例えばファクシミリ通信を行い（ステップＳ１８）、通信が終了すると、通信装置１０の処理は終了する。
【００３５】
ここで、ステップＳ２を実行するＣＰＵは、図３における第１の情報受信端末起動信号検出部４８に相当する。ステップＳ６を実行するＣＰＵは、受信部５０に相当する。ステップＳ１０を実行するＣＰＵは、呼出信号検出部５２に相当する。ステップＳ１２を実行するＣＰＵは、第２の情報受信端末起動信号検出部５４に相当する。ステップＳ１４を実行するＣＰＵは、復極検出部５６に相当する。
【００３６】
次に、図５を用いて、図１で示した、ターミナルアダプタ１２に２台の通信装置１０（第１の通信装置及び第２の通信装置）が接続されている場合における、図４で説明したフローチャートの通信動作を説明する。なお、前述したように、ターミナルアダプタ１２は、グローバル着信設定がされており、第１の通信装置１０及び第２の通信装置１０は、同時に通信を行うことができる。
【００３７】
図５を参照に、交換機（不図示）から送信されたＣＡＲ信号は、ＩＳＤＮ１４を介してターミナルアダプタ１２に入力される（ａ）。ターミナルアダプタ１２は、グローバル着信設定がされているため、ＣＡＲ信号は、ターミナルアダプタ１２から第１の通信装置１０及び第２の通信装置１０それぞれに送信される（ｂ）。
【００３８】
図４のステップＳ２で示したように、通信装置１０は、ＣＡＲ信号の検出を行うため、図５においては、第１の通信装置１０及び第２の通信装置１０それぞれがＣＡＲ信号を検出する。
【００３９】
次に、図４のステップＳ４で示したように、通信装置１０は、ＣＡＲ信号を検出すると、交換機に対して一次応答信号を送信する。交換機は、通信装置１０から一次応答信号を受信すると、一次応答信号を送信した通信装置１０に対して、発信電話番号を送信する（ｃ）。したがって、図５において、第１の通信装置１０及び第２の通信装置１０はそれぞれ、交換機から送信された発信電話番号を受信する（図４のステップＳ６参照）。
【００４０】
次に、第１の通信装置１０及び第２の通信装置１０はそれぞれ、回線の開放を行い、回線が開放された後、交換機は、第１の通信装置１０及び第２の通信装置１０それぞれに呼出信号を送信する（ｄ）。図４のステップＳ１０で示したように、通信装置１０は、呼出信号の検出を行っており、図５においては、第１の通信装置１０及び第２の通信装置１０はそれぞれ呼出信号の検出を行っている。ここで、通常、第１の通信装置１０及び第２の通信装置１０のうちいずれか一方が、交換機から送信された呼出信号を検出し、交換機に対して二次応答信号を送信する。図５においては、第１の通信装置１０が、交換機から送信された呼出信号を検出し、交換機に二次応答信号を送信する場合を示している（ｅ）。その後、第１の通信装置１０は、受信した発信電話番号と一致する電話番号の発信側通信装置（不図示）と、ＩＳＤＮ１４を利用してファクシミリ通信を行う。
【００４１】
一方、呼出信号を検出できていない第２の通信装置１０は、図４のステップＳ１２で示したように、交換機から新たなＣＡＲ信号が送信されたかを判断するために、ＣＡＲ信号の検出を行う。ここで、第１の通信装置１０がファクシミリ通信中に、交換機から新たなＣＡＲ信号が送信されると、ターミナルアダプタ１２は、第２の通信装置１０にのみ、新たなＣＡＲ信号を送信する（ｆ）。
【００４２】
第２の通信装置１０は、交換機から送信された新たなＣＡＲ信号を検出すると、検出した新たなＣＡＲ信号に対する一次応答信号を、交換機に送信し、その後、図４のステップＳ６で示したように、交換機から送信される、新たなＣＡＲ信号に基づく新たな発信電話番号を受信する（ｇ）。
【００４３】
次に、第２通信装置１０は、回線を開放した後、図４のステップＳ１０で示したように、交換機から送信される呼出信号の検出を行う。交換機は、回線が開放された後、新たなＣＡＲ信号に対応する呼出信号を、第２の通信装置１０に送信する（ｈ）。したがって、第２の通信装置１０は、新たなＣＡＲ信号に対応する呼出信号を検出し、交換機に対して二次応答信号を送信する（ｉ）。その後、第２の通信装置１０は、受信した新たな発信電話番号と一致する電話番号の発信側通信装置（不図示）と、ＩＳＤＮ１４を利用してファクシミリ通信を行う。
【００４４】
実施例１では、呼出信号を検出する前に、ＣＡＲ信号を連続して検出した場合に、最新のＣＡＲ信号に基づく発信電話番号を受信する。
【実施例２】
【００４５】
実施例２に係る通信装置１０の構成の一例を示すブロック図及び通信装置１０のハードウエア構成の一例を示すブロック図は、実施例１と同じであり、図１及び図２に示しているので、ここでは説明を省略する。
【００４６】
図６は、実施例２における制御部１６において、ＣＰＵ３０などのハードウエアとＲＯＭ３２などに記憶されたソフトウエアの協働によって実現される機能を示すブロック図である。
【００４７】
図６に示されるように、実施例２では、制御部１６は、実施例１での機能ブロック４８から５６に加えて、異常処理部５８を更に有する。
【００４８】
異常処理部５８は、第２の情報受信端末起動信号検出部５４で、新たなＣＡＲ信号が検出された場合、例えば、発信電話番号の受信が正常に行えないとするエラー処理を行い、呼出信号の検出及びＣＡＲ信号の検出を中止する。
【００４９】
次に、図７に、実施例２に係る通信装置１０で実行される処理のフローチャートを示す。図７を参照に、通信装置１０の制御部１６は、上記実施例１と同じように、ＣＡＲ信号の検出を行い（ステップＳ２０）、ＣＡＲ信号を検出した場合、一次応答信号を交換機に送信し（ステップＳ２２）、交換機から送信された発信電話番号を受信する（ステップＳ２４）。そして、制御部１６は、回線を開放（ステップＳ２６）した後、交換機から送信される呼出信号の検出を行う（ステップＳ２８）。
【００５０】
ステップＳ２８で呼出信号が検出されない場合（Ｎｏの場合）、制御部１６は、交換機から新たなＣＡＲ信号が送信されたかを判断するため、ＣＡＲ信号の検出を行う（ステップＳ３０）。ステップＳ３０で新たなＣＡＲ信号が検出された場合（Ｙｅｓの場合）は、制御部１６は、エラー処理を行い、呼出信号の検出及びＣＡＲ信号の検出を中止する。ステップＳ３０で新たなＣＡＲ信号が検出されない場合（Ｎｏの場合）は、制御部１６は、復極の検出を行い（ステップＳ３２）、ステップＳ３２で復極が検出された場合（Ｙｅｓの場合）は、ステップＳ２０に戻り、復極が検出されない場合（Ｎｏの場合）は、ステップＳ２８に戻って、呼出信号の検出を引き続き行う。
【００５１】
ステップＳ２８で呼出信号が検出できた場合（Ｙｅｓの場合）は、制御部１６は、二次応答信号を交換機に送信し（ステップＳ３６）、発信側の通信装置（不図示）と、例えばファクシミリ通信を行い（ステップＳ３８）、通信が終了すると、通信装置１０の処理は終了する。
【００５２】
ここで、ステップＳ２０を実行するＣＰＵは、図６における第１の情報受信端末起動信号検出部４８に相当する。ステップＳ２４を実行するＣＰＵは、受信部５０に相当する。ステップＳ２８を実行するＣＰＵは、呼出信号検出部５２に相当する。ステップＳ３０を実行するＣＰＵは、第２の情報受信端末起動信号検出部５４に相当する。ステップＳ３２を実行するＣＰＵは、復極検出部５６に相当する。ステップＳ３４を実行するＣＰＵは、異常処理部５８に相当する。
【００５３】
実施例２では、呼出信号の検出を、新たなＣＡＲ信号が検出されるまで行い、新たなＣＡＲ信号が検出された後は、呼出信号の検出を中止する。言い換えると、呼出信号を検出する前に、ＣＡＲ信号を連続して検出した場合、呼出信号の検出を中止する。
【実施例３】
【００５４】
実施例３に係る通信装置１０の構成の一例を示すブロック図及び通信装置１０のハードウエア構成の一例を示すブロック図は、実施例１と同じであり、図１及び図２に示しているので、ここでは説明を省略する。
【００５５】
図８は、実施例３における制御部１６において、ＣＰＵ３０などのハードウエアとＲＯＭ３２などに記憶されたソフトウエアの協働によって実現される機能を示すブロック図である。
【００５６】
図８に示されるように、実施例３では、制御部１６は、実施例１での機能ブロック４８から５６に加えて、経過時間判断部６０（経過時間判断手段）及び第１消去部６２を更に有する。
【００５７】
経過時間判断部６０は、第１の情報受信端末起動信号検出部４８でＣＡＲ信号が検出された後、予め設定した時間が経過したかを判断する。なお、予め設定する時間は、第１の情報受信端末起動信号検出部４８でＣＡＲ信号を検出した後、呼出信号検出部５２で呼出信号を検出するまでにかかる一般的な時間より、長めの時間を設定することが好ましい。
【００５８】
第１消去部６２は、経過時間判断部６０で、予め設定した時間が経過していると判断された場合に、受信部５０で受信した発信電話番号を消去する。
【００５９】
次に、図９に、実施例３に係る通信装置１０で実行される処理のフローチャートを示す。図９を参照に、通信装置１０の制御部１６は、上記実施例１と同じように、ＣＡＲ信号の検出を行い（ステップＳ４０）、ＣＡＲ信号を検出した場合、一次応答信号を交換機に送信し（ステップＳ４２）、交換機から送信された発信電話番号を受信する（ステップＳ４４）。そして、制御部１６は、回線を開放（ステップＳ４６）した後、交換機から送信される呼出信号の検出を行う（ステップＳ４８）。
【００６０】
ステップＳ４８で呼出信号が検出されない場合（Ｎｏの場合）、制御部１６は、交換機から新たなＣＡＲ信号が送信されたかを判断するため、ＣＡＲ信号の検出を行う（ステップＳ５０）。ステップＳ５０で新たなＣＡＲ信号が検出された場合（Ｙｅｓの場合）は、ステップＳ４２に戻り、制御部１６は、新たなＣＡＲ信号に対する一次応答信号を交換機に送信（ステップＳ４２）した後、新たなＣＡＲ信号に基づく新たな発信電話番号を受信する（ステップＳ４４）。その後、制御部１６は、回線を開放し（ステップＳ４６）、呼出信号の検出を再開する（ステップＳ４８）。
【００６１】
ステップＳ５０で新たなＣＡＲ信号が検出されない場合（Ｎｏの場合）、制御部１６は、ステップＳ４０でＣＡＲ信号を検出した後、予め設定した時間を経過したか判断する（ステップＳ５２）。予め定めた時間が経過している場合（Ｙｅｓの場合）は、ステップＳ４４で受信した発信電話番号を消去（ステップＳ５４）した後、ステップＳ４０に戻る。ステップＳ５２で、予め設定した時間が経過していないと判断された場合（Ｎｏの場合）は、ステップＳ５６に進み、復極の検出を行う。ステップＳ５６で、復極が検出された場合（Ｙｅｓの場合）は、ステップＳ４０に戻り、復極が検出されない場合（Ｎｏの場合）は、ステップＳ４８に戻り、呼出信号の検出を引き続き行う。
【００６２】
ステップＳ４８で呼出信号が検出された場合（Ｙｅｓの場合）は、制御部１６は、二次応答信号を交換機に送信し（ステップＳ５８）、発信側の通信装置（不図示）と、例えばファクシミリ通信を行い（ステップＳ６０）、通信が終了すると、通信装置１０の処理は終了する。
【００６３】
ここで、ステップＳ４０を実行するＣＰＵは、図８における第１の情報受信端末起動信号検出部４８に相当する。ステップＳ４４を実行するＣＰＵは、受信部５０に相当する。ステップＳ４８を実行するＣＰＵは、呼出信号検出部５２に相当する。ステップＳ５０を実行するＣＰＵは、第２の情報受信端末起動信号検出部５４に相当する。ステップＳ５２を実行するＣＰＵは、経過時間判断部６０に相当する。ステップＳ５４を実行するＣＰＵは、第１消去部６２に相当する。ステップＳ５６を実行するＣＰＵは、復極検出部５６に相当する。
【００６４】
なお、図９のステップＳ５２で、予め設定された時間が経過していると判断された場合、受信した発信電話番号を消去した後（図９のステップＳ５４）、図９のステップＳ４０に戻る場合を例に示したが、受信した発信電話番号を消去せずに、図９のステップＳ４０に戻る場合でもよい。
【００６５】
実施例３では、第１の情報受信端末起動信号検出部４８でＣＡＲ信号検出後、予め設定した時間が経過した後は、呼出信号の検出を中止する。
【実施例４】
【００６６】
実施例４に係る通信装置１０の構成の一例を示すブロック図及び通信装置１０のハードウエア構成の一例を示すブロック図は、実施例１と同じであり、図１及び図２に示しているので、ここでは説明を省略する。
【００６７】
図１０は、実施例４における制御部１６において、ＣＰＵ３０などのハードウエアとＲＯＭ３２などに記憶されたソフトウエアの協働によって実現される機能を示すブロック図である。
【００６８】
図１０に示されるように、実施例４では、制御部１６は、実施例１での機能ブロック４８から５６に加えて、第２消去部６４を更に有する。
【００６９】
第２消去部６４は、復極検出部５６で、復極が検出された場合に、受信部５０で受信した発信電話番号の消去を行う。
【００７０】
次に、図１１に、実施例４に係る通信装置１０で実行される処理のフローチャートを示す。図１１を参照に、通信装置１０の制御部１６は、上記実施例１と同じように、ＣＡＲ信号の検出を行い（ステップＳ７０）、ＣＡＲ信号を検出した場合、一次応答信号を交換機に送信し（ステップＳ７２）、交換機から送信された発信電話番号を受信する（ステップＳ７４）。そして、制御部１６は、回線を開放（ステップＳ７６）した後、交換機から送信される呼出信号の検出を行う（ステップＳ７８）。
【００７１】
ステップＳ７８で呼出信号が検出されない場合（Ｎｏの場合）、制御部１６は、交換機から新たなＣＡＲ信号が送信されたかを判断するため、ＣＡＲ信号の検出を行う（ステップＳ８０）。ステップＳ８０で新たなＣＡＲ信号が検出された場合（Ｙｅｓの場合）は、ステップＳ７２に戻り、制御部１６は、新たなＣＡＲ信号に対する一次応答信号を交換機に送信（ステップＳ７２）した後、新たなＣＡＲ信号に基づく新たな発信電話番号を受信する（ステップＳ７４）。その後、制御部１６は、回線を開放し（ステップＳ７６）、呼出信号の検出を再開する（ステップＳ７８）。
【００７２】
ステップＳ８０で新たなＣＡＲ信号が検出されない場合（Ｎｏの場合）、制御部１６は、復極の検出を行う（ステップＳ８２）。ステップＳ８２で復極が検出された場合（Ｙｅｓの場合）は、ステップＳ７４で受信した発信電話番号を消去（ステップＳ８４）した後、ステップＳ７０に戻る。ステップＳ８２で、復極が検出されない場合（Ｎｏの場合）は、ステップＳ７８に戻り、呼出信号の検出を引き続き行う。
【００７３】
ステップＳ７８で呼出信号が検出できた場合（Ｙｅｓの場合）は、制御部１６は、二次応答信号を交換機に送信し（ステップＳ８６）、発信側の通信装置（不図示）と、例えばファクシミリ通信を行い（ステップＳ８８）、通信が終了すると、通信装置１０の処理は終了する。
【００７４】
通信装置１０の機能を実現するためのソフトウエアのプログラムが記録されている記録媒体を、通信装置１０に供給し、通信装置１０のＣＰＵが、記録媒体に格納されたプログラムを読み出し実行することによっても、上記第１から実施例４と同様の効果を奏する。プログラムを供給するための記録媒体としては、例えばＣＤ−ＲＯＭ、ＤＶＤ、及びＳＤカードなどがある。
【００７５】
なお、本発明は、上述した実施例に限定されるものではなく、その要旨を逸脱しない範囲内で種々変形して実施することが可能である。
【図面の簡単な説明】
【００７６】
【図１】図１は、実施例１に係る通信装置の構成の一例を示すブロック図である。
【図２】図２は、実施例１に係る通信装置のハードウエア構成の一例を示すブロック図である。
【図３】図３は、実施例１に係る通信装置の制御部の機能構成の一例を示すブロック図である。
【図４】図４は、実施例１に係る通信装置で実行される処理の一例を示すフローチャートである。
【図５】図５は、実施例１に係る通信装置の通信動作を説明する図である。
【図６】図６は、実施例２に係る通信装置の制御部の機能構成の一例を示すブロック図である。
【図７】図７は、実施例２に係る通信装置で実行される処理の一例を示すフローチャートである。
【図８】図８は、実施例３に係る通信装置の制御部の機能構成の一例を示すブロック図である。
【図９】図９は、実施例３に係る通信装置で実行される処理の一例を示すフローチャートである。
【図１０】図１０は、実施例４に係る通信装置の制御部の機能構成の一例を示すブロック図である。
【図１１】図１１は、実施例４に係る通信装置で実行される処理の一例を示すフローチャートである。
【符号の説明】
【００７７】
１０  通信装置
１２  ターミナルアダプタ
１４  ＩＳＤＮ
１６  制御部
１８  記憶部
２０  通信部
２２  画像読取部
２４  印刷部
２６  操作部
２８  表示部
４８  第１の情報受信端末起動信号検出部
５０  受信部
５２  呼出信号検出部
５４  第２の情報受信端末起動信号検出部
５６  復極検出部
５８  異常処理部
６０  経過時間判断部
６２  第１消去部
６４  第２消去部
【図１】
2010098482.tif 000003
【図２】
2010098482.tif 000004
【図３】
2010098482.tif 000005
【図４】
2010098482.tif 000006
【図５】
2010098482.tif 000007
【図６】
2010098482.tif 000008
【図７】
2010098482.tif 000009
【図８】
2010098482.tif 000010
【図９】
2010098482.tif 000011
【図１０】
2010098482.tif 000012
【図１１】
2010098482.tif 000013